(57)【要約】【課題】折り畳み可能に連接した２つの紙片部が折り畳まれて剥離可能に貼着された隠蔽はがきにおいて、２つの紙片部に表示された情報が見にくくなりづらく、かつ、２つの紙片部が同一の形状を有するものであっても２つの紙片部を剥離した後に再度折り畳んで保管しやすくする。【解決手段】折り畳み可能に連接した２つの紙片部１０ａ，１０ｂが折り部３０を介して折り畳まれて剥離可能に貼着された隠蔽はがき１において、２つの紙片部１０ａ，１０ｂは、２つの紙片部１０ａ，１０ｂが折り部３０を介して折り畳まれた場合に、折り部３０に対向する辺部から互いに異なる方向に延び、かつ折り部３０に対向する辺部側とは反対側の端部にて互いに対向する切り込み１１ａ，１１ｂがそれぞれ形成されている。【選択図】図１
2010162833.tif 000002
【特許請求の範囲】
【請求項１】
折り畳み可能に連接した２つの紙片部が折り部を介して折り畳まれて剥離可能に貼着された隠蔽はがきにおいて、
前記２つの紙片部は、該２つの紙片部が前記折り部を介して折り畳まれた場合に、前記折り部に対向する辺部から互いに異なる方向に延び、かつ前記辺部以外の領域で互いに対向する切り込みがそれぞれ形成されていることを特徴とする隠蔽はがき。
【発明の詳細な説明】
【技術分野】
【０００１】
本発明は、折り畳み可能に連接した２つの紙片部が折り畳まれて剥離可能に貼着された隠蔽はがきに関し、特に、剥離後に再度折り畳んで保管する際の形状保持技術に関する。
【背景技術】
【０００２】
郵便物として送付される送付体においては、その形状や重量によって料金が異なっており、一般に送付される送付体としては、第二種郵便物である通常はがきが最も安価である。ところが、この通常はがきは、定形形状の紙片の表裏のみを用いて情報を通知することになるため、送付先に多くの量の情報を通知することが困難である。
【０００３】
そこで、近年、はがきとしての定形形状を有する２つの紙片が剥離可能に貼着された隠蔽はがきが用いられている（例えば、特許文献１参照。）。このような隠蔽はがきにおいては、例えば、感圧性の接着剤を２つの紙片の一方の面に塗布しておき、この面が内側となるように２つの紙片を折り畳んで加圧することによりこれら２つの紙片を剥離可能に貼着することができる。そして、互いに剥離可能に貼着される２つの紙片がそれぞれはがきの定形形状を有するものであることから、通常はがきの料金で送付することができながらも、剥離可能に貼着された２つの紙片の表裏にそれぞれ情報を記載することができることから、通常はがきよりも多くの情報を送付先に通知することができ、また、送付途中において、２つの紙片の貼着面に表示された情報を隠蔽することができる。
【０００４】
上述したような２つの紙片が剥離可能に貼着された隠蔽はがきにおいては、はがきの送付先に届けられた後、２つの紙片が剥離されることにより、２つの紙片の貼着面に表示された情報がこの隠蔽はがきの送付先に通知されることになる。
【０００５】
図１３は、２つの紙片が剥離可能に貼着された隠蔽はがきが送付先に届けられて２つの紙片が剥離された状態を示す図であり、（ａ）は２つの紙片を剥離して見開いた状態を示す図、（ｂ）は２つの紙片を再度折り畳んだ状態を示す図である。
【０００６】
図１３（ａ）に示すように、２つの紙片部６１０ａ，６１０ｂが折り部６３０を介して折り畳まれ、紙片部６１０ａ，６１０ｂの互いの貼着面に塗布された感圧性接着剤６２０によって紙片部６１０ａ，６１０ｂが剥離可能に貼着された隠蔽はがき６０１は、２つの紙片部６１０ａ，６１０ｂを剥離することによって見開くことができる。
【０００７】
その後、この隠蔽はがき６０１を保管するために、２つの紙片部６１０ａ，６１０ｂを見開いた状態から折り部６３０を介して再度折り畳むと、図１３（ｂ）に示すように、剥離した２つの紙片部６１０ａ，６１０ｂのうち少なくとも一方が反り返り、２つの紙片部６１０ａ，６１０ｂが互いに離反してしまう。そのため、２つの紙片部６１０ａ，６１０ｂを一度剥離した場合、２つの紙片部６１０ａ，６１０ｂを再度折り畳んで保管しにくくなってしまう。
【０００８】
ここで、互いに剥離可能に貼着される２つの紙片部の一方に、他方の紙片部の端縁を係止する押さえ爪を形成し、その押さえ爪を起こして他方の紙片部の端縁をこの押さえ爪の下部に入り込ませ、それにより、剥離した２つの紙片部が離反してしまうことを防止する技術が考えられている（例えば、特許文献２参照。）。この技術を用いれば、互いに剥離可能に貼着された２つの紙片部を剥離して見開いた後、これら２つの紙片部を再度折り畳んだ際に、２つの紙片部が離反しないようにすることができる。
【先行技術文献】
【特許文献】
【０００９】
【特許文献１】特開平４−３７５９４号公報
【特許文献２】特開平６−２３９０６３号公報
【発明の概要】
【発明が解決しようとする課題】
【００１０】
しかしながら、上述したように互いに剥離可能に貼着される２つの紙片部の一方に、他方の紙片部の端縁を係止する押さえ爪を形成し、その押さえ爪を起こして他方の紙片部の端縁をこの押さえ爪の下部に入り込ませ、それにより、剥離した２つの紙片部が離反しないようにするものにおいては、互いに剥離可能に貼着される２つの紙片部の一方の内部に、他方の紙片部の端縁がその下部に入り込むことができるような押さえ爪を形成しなければならないため、一方の紙片部の押さえ爪が形成される領域に表示される情報が見にくくなってしまうという問題点がある。また、２つの紙片部が折り畳まれて剥離可能に貼着されるものにおいては、一般に２つの紙片部が同一の形状を有するものであるが、その場合、上述したような押さえ爪を有する構成を採用することができないという問題点がある。
【００１１】
本発明は、上述したような従来の技術が有する問題点に鑑みてなされたものであって、折り畳み可能に連接した２つの紙片部が折り畳まれて剥離可能に貼着された隠蔽はがきにおいて、２つの紙片部に表示された情報が見にくくなりづらく、かつ、２つの紙片部が同一の形状を有するものであっても２つの紙片部を剥離した後に再度折り畳んで保管しやすくすることができる隠蔽はがきを提供することを目的とする。
【課題を解決するための手段】
【００１２】
上記目的を達成するために本発明は、
折り畳み可能に連接した２つの紙片部が折り部を介して折り畳まれて剥離可能に貼着された隠蔽はがきにおいて、
前記２つの紙片部は、該２つの紙片部が前記折り部を介して折り畳まれた場合に、前記折り部に対向する辺部から互いに異なる方向に延び、かつ前記辺部以外の領域で互いに対向する切り込みがそれぞれ形成されていることを特徴とする。
【００１３】
上記のように構成された本発明においては、剥離可能に貼着された２つの紙片部を剥離して見開いた後、折り部を介して再度折り畳んで保管する場合、２つの紙片部を折り部を介して再度折り畳むことで重ね合わせ、２つの紙片部が折り部を介して折り畳まれた場合に２つの紙片部にそれぞれ形成された切り込みによって挟まれる領域を、２つの紙片部の重ね合わせ状態における表裏関係が反転するように係合させる。これにより、折り畳まれた２つの紙片部が互いに係止し合うこととなり、２つの紙片部のうち一方が反り返って２つの紙片部が離反してしまうことがなくなる。
【発明の効果】
【００１４】
以上説明したように本発明においては、折り畳み可能に連接した２つの紙片部が折り部を介して折り畳まれて剥離可能に貼着された隠蔽はがきにおいて、２つの紙片部は、２つの紙片部が折り部を介して折り畳まれた場合に折り部に対向する辺部から互いに異なる方向に延び、かつ折り部に対向する辺部以外の領域で互いに対向する切り込みがそれぞれ形成されており、この隠蔽はがきを折り部を介して再度折り畳んで保管する場合、２つの紙片部を折り部を介して再度折り畳むことで重ね合わせ、２つの紙片部が折り部を介して折り畳まれた場合に２つの紙片部にそれぞれ形成された切り込みによって挟まれる領域を、２つの紙片部の重ね合わせ状態における表裏関係が反転するように係合させるというように、２つの紙片部を剥離して見開いた後に折り部を介して再度折り畳んで２つの紙片部を係止する構成を２つの紙片部の辺部から延びた切り込みによるものとしたため、その構成を２つの辺部に沿う領域に設けることができ、２つの紙片部に表示された情報が見にくくなりづらく、かつ、２つの紙片部が同一の形状を有するものであっても２つの紙片部を剥離した後に再度折り畳んで保管しやすくすることができる。
【図面の簡単な説明】
【００１５】
【図１】本発明の隠蔽はがきの第１の実施の形態を示す図であり、（ａ）は表面図、（ｂ）は（ａ）に示したＡ−Ａ’断面図、（ｃ）は２つの紙片部を見開いた状態を示す図、（ｄ）は（ａ）に示した切り込み間の距離を説明するための図、（ｅ）は紙片部の切り込みに対向する領域から切り込みまでの距離を説明するための図である。
【図２】図１に示した隠蔽はがきの使用方法を説明するための図である。
【図３】本発明の隠蔽はがきの第２の実施の形態を示す図であり、（ａ）は表面図、（ｂ）は（ａ）に示したＡ−Ａ’断面図、（ｃ）は２つの紙片部を見開いた状態を示す図である。
【図４】図３に示した隠蔽はがきの使用方法を説明するための図である。
【図５】本発明の隠蔽はがきの第３の実施の形態を示す図であり、（ａ）は表面図、（ｂ）は（ａ）に示したＡ−Ａ’断面図、（ｃ）は２つの紙片部を見開いた状態を示す図である。
【図６】図５に示した隠蔽はがきの使用方法を説明するための図である。
【図７】本発明の隠蔽はがきの第４の実施の形態を示す図であり、（ａ）は表面図、（ｂ）は（ａ）に示したＡ−Ａ’断面図、（ｃ）は２つの紙片部を見開いた状態を示す図である。
【図８】図７に示した隠蔽はがきの使用方法を説明するための図である。
【図９】本発明の隠蔽はがきの第５の実施の形態を示す図であり、（ａ）は表面図、（ｂ）は（ａ）に示したＡ−Ａ’断面図、（ｃ）は２つの紙片部を見開いた状態を示す図、（ｄ）は（ａ）に示した切り込み間の距離を説明するための図、（ｅ）は紙片部の切り込みに対向する領域から切り込みまでの距離を説明するための図、（ｆ）は（ａ）に示した切り込み間の距離を説明するための図、（ｇ）は紙片部の切り込みに対向する領域から切り込みまでの距離を説明するための図である。
【図１０】図９に示した隠蔽はがきの使用方法を説明するための図である。
【図１１】本発明の隠蔽はがきの第６の実施の形態を示す図であり、（ａ）は表面図、（ｂ）は（ａ）に示したＡ−Ａ’断面図、（ｃ）は２つの紙片部を見開いた状態を示す図である。
【図１２】図１１に示した隠蔽はがきの使用方法を説明するための図である。
【図１３】２つの紙片が剥離可能に貼着された隠蔽はがきが送付先に届けられて２つの紙片が剥離された状態を示す図であり、（ａ）は２つの紙片を剥離して見開いた状態を示す図、（ｂ）は２つの紙片を再度折り畳んだ状態を示す図である。
【発明を実施するための形態】
【００１６】
以下に、本発明の実施の形態について図面を参照して説明する。
【００１７】
（第１の実施の形態）
図１は、本発明の隠蔽はがきの第１の実施の形態を示す図であり、（ａ）は表面図、（ｂ）は（ａ）に示したＡ−Ａ’断面図、（ｃ）は２つの紙片部１０ａ，１０ｂを見開いた状態を示す図、（ｄ）は（ａ）に示した切り込み１１ａ，１３間の距離を説明するための図、（ｅ）は紙片部１０ｂの切り込み１３に対向する領域から切り込み１１ｂまでの距離を説明するための図である。
【００１８】
本形態は図１に示すように、外形が同一である２つの紙片部１０ａ，１０ｂが折り部３０を介して折り畳み可能に連接して構成され、紙片部１０ａ，１０ｂの一方の全面に貼着後の剥離が可能な感圧性接着剤２０が塗布されており、感圧性接着剤２０が塗布された面が内側となるように折り部３０を介して折り畳まれて使用される。
【００１９】
紙片部１０ａは、折り部３０を介して折り畳まれた場合に外側となる面に、この隠蔽はがき１の送付先の住所や氏名等からなる宛先情報１４が表示されているとともに、折り部３０を介して折り畳まれた場合に内側となる面に、この隠蔽はがき１の送付先に通知すべき通知情報１５ａが表示されている。また、紙片部１０ａには、折り部３０に対向する辺部から、この辺部に沿う方向に対して斜めの方向に直線状に延びた切り込み１１ａが形成されているとともに、貼着された２つの紙片部１０ａ，１０ｂを剥離する際に剥離開始端部となる切り込み１３が形成されている。この切り込み１１ａは、図１（ｄ）に示すように、剥離開始端部となる切り込み１３から折り部３０に対向する辺部側の一端までの距離ｌ1が、切り込み１３から他端までの距離ｌ2よりも長くなるような角度で形成されている。
【００２０】
紙片部１０ｂは、折り部３０を介して折り畳まれた場合に内側となる面に、この隠蔽はがき１の送付先に通知すべき通知情報１５ｂが表示されている。また、紙片部１０ｂには、紙片部１０ａ，１０ｂが折り部３０を介して折り畳まれた場合に、紙片部１０ａに形成された切り込み１１ａとは異なる方向であって、折り部３０に対向する辺部に沿う方向に対して斜めの方向に直線状に延び、かつ、その一部にて切り込み１１ａと対向する切り込み１１ｂが、折り部３０に対向する辺部から形成されている。この切り込み１１ｂは、図１（ｅ）に示すように、切り込み１３に対向する剥離開始端部となる領域から折り部３０に対向する辺部側の一端までの距離ｌ3が、剥離開始端部となる領域から他端までの距離ｌ4よりも長くなるような角度で形成されている。なお、紙片部１０ｂにおいても、紙片部１０ａの切り込み１３に対向する領域が、紙片部１０ａ，１０ｂを剥離する際の剥離開始端部となる。
【００２１】
紙片部１０ａ，１０ｂにそれぞれ形成された切り込み１１ａ，１１ｂは、上述したように、紙片部１０ａ，１０ｂが折り部３０を介して折り畳まれた場合にその一部が互いに対向するように形成されているが、本形態の切り込み１１ａ，１１ｂにおいては、折り部３０に対向する辺部側とは反対側の端部にて対向している。なお、切り込み１１ａ，１１ｂの折り部３０に対向する辺部側とは反対側の端部が、紙片部１０ａ，１０ｂの折り部３０に対向する辺部近傍となっていることにより、２つの切り込み１１ａ，１１ｂが対向する領域は、紙片部１０ａ，１０ｂの折り部３０に対向する辺部近傍となっている。
【００２２】
以下に、上記のように構成された隠蔽はがき１の使用方法について説明する。
【００２３】
図２は、図１に示した隠蔽はがき１の使用方法を説明するための図である。
【００２４】
図１に示した隠蔽はがき１は、図１（ａ），（ｂ）に示したように、２つの紙片部１０ａ，１０ｂが折り部３０を介して折り畳まれ、感圧性接着剤２０によって剥離可能に貼着された状態で、紙片部１０ａに表示された宛先情報１４に従って送付先に送付される。
【００２５】
隠蔽はがき１が送付先に送付された後、紙片部１０ａ，１０ｂに表示された通知情報１５ａ，１５ｂを見るために、切り込み１３を剥離開始端部として紙片部１０ｂから紙片部１０ａを剥離していく。すると、２つの紙片部１０ａ，１０ｂの剥離領域が、切り込み１１ａ，１１ｂが形成された領域に達するが、図１（ｄ），（ｅ）に示したように、切り込み１１ａ，１１ｂが、切り込み１３あるいはそれに対向する領域から折り部３０に対向する辺部側の一端までの距離ｌ1，ｌ3が、切り込み１３あるいはそれに対向する領域から他端までの距離ｌ2，ｌ4よりも長くなるような角度で形成されているため、図２（ａ）に示すように、２つの紙片部１０ａ，１０ｂの剥離領域が、まず、切り込み１１ａ，１１ｂの折り部３０に対向する辺部側とは反対側の端部に達し、その後、切り込み１１ａ，１１ｂの他の領域が剥離されていくことになる。これにより、紙片部１０ｂから紙片部１０ａを剥離する際に、紙片部１０ａの切り込み１１ａを介して分離された２つの領域のうち一方が紙片部１０ａとともに捲れ上がり、他方が紙片部１０ｂに貼着されたままとなって紙片部１０ａが裂けてしまうことを回避することができる。
【００２６】
２つの紙片部１０ａ，１０ｂを剥離して完全に見開くと、図２（ｂ）に示すように、紙片部１０ａ，１０ｂにそれぞれ表示された通知情報１５ａ，１５ｂが視認可能な状態となり、それにより、この隠蔽はがき１の送付先に通知情報１５ａ，１５ｂが通知されることになる。
【００２７】
その後、この隠蔽はがき１を折り畳んで保管する場合は、まず、図２（ｃ）に示すように、２つの紙片部１０ａ，１０ｂを折り部３０を介して折り畳む。しかし、この状態では、紙片部１０ａ，１０ｂのうち少なくとも一方が反り返ってしまい、２つの紙片部１０ａ，１０ｂが互いに離反してしまう。
【００２８】
そこで、図２（ｄ）に示すように、切り込み１１ａ，１１ｂを用いて、紙片部１０ａのうち図１中切り込み１１ａを介して下部となる領域を、紙片部１０ｂの図１中切り込み１１ｂを介して上部となる領域の下に潜り込ませ、それにより、２つの紙片部１０ａ，１０ｂのうち、紙片部１０ａ，１０ｂが折り部３０を介して折り畳まれた場合に切り込み１１ａ，１１ｂによって挟まれる領域において、２つの紙片部１０ａ，１０ｂの重ね合わせ状態における表裏関係を反転させる。
【００２９】
すると、図２（ｅ）に示すように、紙片部１０ｂの、切り込み１１ｂと切り込み１１ａに対向する領域との間の領域が紙片部１０ａ上に表出し、また、紙片部１０ａの、切り込み１１ａと切り込み１１ｂに対向する領域との間の領域が紙片部１０ｂ下に表出することとなり、図２（ｅ）中Ａ方向から見た場合、図２（ｆ）に示すように、２つの紙片部１０ａ，１０ｂのうち、紙片部１０ａ，１０ｂが折り部３０を介して折り畳まれた場合に切り込み１１ａ，１１ｂによって挟まれる領域が、２つの紙片部１０ａ，１０ｂの重ね合わせ状態における表裏関係が反転した状態にて係合する。これにより、折り畳まれた２つの紙片部１０ａ，１０ｂが互いに係止し合うこととなり、２つの紙片部１０ａ，１０ｂのうち一方が反り返って２つの紙片部１０ａ，１０ｂが離反してしまうことがなくなる。
【００３０】
（第２の実施の形態）
図３は、本発明の隠蔽はがきの第２の実施の形態を示す図であり、（ａ）は表面図、（ｂ）は（ａ）に示したＡ−Ａ’断面図、（ｃ）は２つの紙片部１１０ａ，１１０ｂを見開いた状態を示す図である。
【００３１】
本形態は図３に示すように、外形が同一である２つの紙片部１１０ａ，１１０ｂが折り部１３０を介して折り畳み可能に連接して構成され、紙片部１１０ａ，１１０ｂの一方の全面に貼着後の剥離が可能な感圧性接着剤１２０が塗布されており、感圧性接着剤１２０が塗布された面が内側となるように折り部１３０を介して折り畳まれて使用される。
【００３２】
紙片部１１０ａは、折り部１３０を介して折り畳まれた場合に外側となる面に、この隠蔽はがき１０１の送付先の住所や氏名等からなる宛先情報１１４が表示されているとともに、折り部１３０を介して折り畳まれた場合に内側となる面に、この隠蔽はがき１０１の送付先に通知すべき通知情報１１５ａが表示されている。また、紙片部１１０ａには、折り部１３０に対向する辺部から、この辺部に沿う方向に対して斜めの方向に直線状に延びた切り込み１１１ａが形成されているとともに、貼着された２つの紙片部１１０ａ，１１０ｂを剥離する際に剥離開始端部となる切り込み１１３が形成されている。また、紙片部１１０ａは、切り込み１１１ａによって、折り部１３０に対向する辺部近傍の領域が２つの領域に分離されているが、切り込み１１１ａの折り部１３０に対向する辺部側には分離部となるタイ部１１６ａが設けられており、それにより、切り込み１１１ａによって分離される２つの領域は分離可能に連接している。
【００３３】
紙片部１１０ｂは、折り部１３０を介して折り畳まれた場合に内側となる面に、この隠蔽はがき１０１の送付先に通知すべき通知情報１１５ｂが表示されている。また、紙片部１１０ｂには、紙片部１１０ａ，１１０ｂが折り部１３０を介して折り畳まれた場合に、紙片部１１０ａに形成された切り込み１１１ａとは異なる方向であって、折り部３０に向かって直線状に延び、かつ、その一部にて切り込み１１１ａと対向する切り込み１１１ｂが、折り部１３０に対向する辺部から形成されている。また、紙片部１１０ｂは、切り込み１１１ｂによって、折り部１３０に対向する辺部近傍の領域が２つの領域に分離されているが、切り込み１１１ｂの折り部１３０に対向する辺部側には分離部となるタイ部１１６ｂが設けられており、それにより、切り込み１１１ｂによって分離される２つの領域は分離可能に連接している。なお、紙片部１１０ｂにおいても、紙片部１１０ａの切り込み１１３に対向する領域が、紙片部１１０ａ，１１０ｂを剥離する際の剥離開始端部となる。
【００３４】
紙片部１１０ａ，１１０ｂにそれぞれ形成された切り込み１１１ａ，１１１ｂは、上述したように、紙片部１１０ａ，１１０ｂが折り部１３０を介して折り畳まれた場合にその一部が互いに対向するように形成されているが、本形態の切り込み１１１ａ，１１１ｂにおいては、折り部１３０に対向する辺部側とは反対側の端部にて対向している。なお、切り込み１１１ａ，１１１ｂの折り部１３０に対向する辺部側とは反対側の端部が、紙片部１１０ａ，１１０ｂの折り部１３０に対向する辺部近傍となっていることにより、２つの切り込み１１１ａ，１１１ｂが対向する領域は、紙片部１１０ａ，１１０ｂの折り部１３０に対向する辺部近傍となっている。
【００３５】
以下に、上記のように構成された隠蔽はがき１０１の使用方法について説明する。
【００３６】
図４は、図３に示した隠蔽はがき１０１の使用方法を説明するための図である。
【００３７】
図３に示した隠蔽はがき１０１は、図３（ａ），（ｂ）に示したように、２つの紙片部１１０ａ，１１０ｂが折り部１３０を介して折り畳まれ、感圧性接着剤１２０によって剥離可能に貼着された状態で、紙片部１１０ａに表示された宛先情報１１４に従って送付先に送付される。この際、紙片部１１０ａ，１１０ｂにはそれぞれ、切り込み１１１ａ，１１１ｂが形成されているが、この切り込み１１１ａ，１１１ｂの紙片部１１０ａ，１１０ｂの折り部１３０に対向する辺部にそれぞれタイ部１１６ａ，１１６ｂが設けられているため、２つの紙片部１１０ａ，１１０ｂが折り畳まれて剥離可能に貼着された状態において、紙片部１１０ａ，１１０ｂが切り込み１１１ａ，１１１ｂから裂けてしまうことが回避される。
【００３８】
隠蔽はがき１０１が送付先に送付された後、紙片部１１０ａ，１１０ｂに表示された通知情報１１５ａ，１１５ｂを見るために、切り込み１１３を剥離開始端部として紙片部１１０ｂから紙片部１１０ａを剥離していく。すると、２つの紙片部１１０ａ，１１０ｂの剥離領域が、切り込み１１１ａ，１１１ｂが形成された領域に達する。この際、切り込み１１１ａ，１１１ｂのうち、紙片部１１０ａ，１１０ｂの折り部１３０に対向する辺部側の端部においては、タイ部１１６ａ，１１６ｂが設けられているため、図４（ａ）に示すように、紙片部１１０ｂから紙片部１１０ａを剥離する際に、紙片部１１０ａの切り込み１１１ａを介して分離された２つの領域のうち一方が紙片部１１０ａとともに捲れ上がり、他方が紙片部１１０ｂに貼着されたままとなって紙片部１１０ａが裂けてしまうことを回避することができる。
【００３９】
２つの紙片部１１０ａ，１１０ｂを剥離して完全に見開くと、図４（ｂ）に示すように、紙片部１１０ａ，１１０ｂにそれぞれ表示された通知情報１１５ａ，１１５ｂが視認可能な状態となり、それにより、この隠蔽はがき１０１の送付先に通知情報１１５ａ，１１５ｂが通知されることになる。
【００４０】
その後、この隠蔽はがき１０１を折り畳んで保管する場合は、まず、図４（ｃ）に示すように、２つの紙片部１１０ａ，１１０ｂを折り部１３０を介して折り畳む。しかし、この状態では、紙片部１１０ａ，１１０ｂのうち少なくとも一方が反り返ってしまい、２つの紙片部１１０ａ，１１０ｂが互いに離反してしまう。
【００４１】
そこで、図４（ｄ）に示すように、タイ部１１６ａ，１１６ｂを破断し、切り込み１１１ａ，１１１ｂを用いて、紙片部１１０ａのうち図３中切り込み１１１ａを介して下部となる領域を、紙片部１１０ｂの図３中切り込み１１１ｂを介して上部となる領域の下に潜り込ませ、それにより、２つの紙片部１１０ａ，１１０ｂのうち、紙片部１１０ａ，１１０ｂが折り部１３０を介して折り畳まれた場合に切り込み１１１ａ，１１１ｂによって挟まれる領域において、２つの紙片部１１０ａ，１１０ｂの重ね合わせ状態における表裏関係を反転させる。
【００４２】
すると、図４（ｅ）に示すように、紙片部１１０ｂの、切り込み１１１ｂと切り込み１１１ａに対向する領域との間の領域が紙片部１１０ａ上に表出し、また、紙片部１１０ａの、切り込み１１１ａと切り込み１１１ｂに対向する領域との間の領域が紙片部１１０ｂ下に表出することとなり、図４（ｅ）中Ａ方向から見た場合、図４（ｆ）に示すように、２つの紙片部１１０ａ，１１０ｂのうち、紙片部１１０ａ，１１０ｂが折り部１３０を介して折り畳まれた場合に切り込み１１１ａ，１１１ｂによって挟まれる領域が、２つの紙片部１１０ａ，１１０ｂの重ね合わせ状態における表裏関係が反転した状態にて係合する。これにより、折り畳まれた２つの紙片部１１０ａ，１１０ｂが互いに係止し合うこととなり、２つの紙片部１１０ａ，１１０ｂのうち一方が反り返って２つの紙片部１１０ａ，１１０ｂが離反してしまうことがなくなる。
【００４３】
（第３の実施の形態）
図５は、本発明の隠蔽はがきの第３の実施の形態を示す図であり、（ａ）は表面図、（ｂ）は（ａ）に示したＡ−Ａ’断面図、（ｃ）は２つの紙片部２１０ａ，２１０ｂを見開いた状態を示す図である。
【００４４】
本形態は図５に示すように、外形が同一である２つの紙片部２１０ａ，２１０ｂが折り部２３０を介して折り畳み可能に連接して構成され、紙片部２１０ａ，２１０ｂの一方の全面に貼着後の剥離が可能な感圧性接着剤２２０が塗布されており、感圧性接着剤２２０が塗布された面が内側となるように折り部２３０を介して折り畳まれて使用される。
【００４５】
紙片部２１０ａは、折り部２３０を介して折り畳まれた場合に外側となる面に、この隠蔽はがき２０１の送付先の住所や氏名等からなる宛先情報２１４が表示されているとともに、折り部２３０を介して折り畳まれた場合に内側となる面に、この隠蔽はがき２０１の送付先に通知すべき通知情報２１５ａが表示されている。また、紙片部２１０ａには、折り部２３０に対向する辺部から、この辺部に沿う方向に対して斜めの方向に直線状に延びた切り込み２１１ａが形成されているとともに、貼着された２つの紙片部２１０ａ，２１０ｂを剥離する際に剥離開始端部となる切り込み２１３が形成されている。また、紙片部２１０ａは、切り込み２１１ａによって、折り部２３０に対向する辺部近傍の領域が２つの領域に分離されているが、切り込み２１１ａの折り部２３０に対向する辺部側には分離部となるタイ部２１６ａが設けられており、それにより、切り込み２１１ａによって分離される２つの領域は分離可能に連接している。
【００４６】
紙片部２１０ｂは、折り部２３０を介して折り畳まれた場合に内側となる面に、この隠蔽はがき２０１の送付先に通知すべき通知情報２１５ｂが表示されている。また、紙片部２１０ｂには、紙片部２１０ａ，２１０ｂが折り部２３０を介して折り畳まれた場合に、紙片部２１０ａに形成された切り込み２１１ａとは異なる方向であって、折り部２３０に対向する辺部に沿う方向に対して斜めの方向に直線状に延び、かつ、その一部にて切り込み２１１ａと対向する切り込み２１１ｂが、折り部２３０に対向する辺部から形成されている。また、紙片部２１０ｂは、切り込み２１１ｂによって、折り部２３０に対向する辺部近傍の領域が２つの領域に分離されているが、切り込み２１１ｂの折り部２３０に対向する辺部側には分離部となるタイ部２１６ｂが設けられており、それにより、切り込み２１１ｂによって分離される２つの領域は分離可能に連接している。なお、紙片部２１０ｂにおいても、紙片部２１０ａの切り込み２１３に対向する領域が、紙片部２１０ａ，２１０ｂを剥離する際の剥離開始端部となる。
【００４７】
紙片部２１０ａ，２１０ｂにそれぞれ形成された切り込み２１１ａ，２１１ｂは、上述したように、紙片部２１０ａ，２１０ｂが折り部２３０を介して折り畳まれた場合にその一部が互いに対向するように形成されているが、本形態の切り込み２１１ａ，２１１ｂにおいては、折り部２３０に対向する辺部側とは反対側の端部にて対向している。なお、切り込み２１１ａ，２１１ｂの折り部２３０に対向する辺部側とは反対側の端部が、紙片部２１０ａ，２１０ｂの折り部２３０に対向する辺部近傍となっていることにより、２つの切り込み２１１ａ，２１１ｂが対向する領域は、紙片部２１０ａ，２１０ｂの折り部２３０に対向する辺部近傍となっている。
【００４８】
以下に、上記のように構成された隠蔽はがき２０１の使用方法について説明する。
【００４９】
図６は、図５に示した隠蔽はがき２０１の使用方法を説明するための図である。
【００５０】
図５に示した隠蔽はがき２０１は、図５（ａ），（ｂ）に示したように、２つの紙片部２１０ａ，２１０ｂが折り部２３０を介して折り畳まれ、感圧性接着剤２２０によって剥離可能に貼着された状態で、紙片部２１０ａに表示された宛先情報２１４に従って送付先に送付される。この際、紙片部２１０ａ，２１０ｂにはそれぞれ、切り込み２１１ａ，２１１ｂが形成されているが、この切り込み２１１ａ，２１１ｂの紙片部２１０ａ，２１０ｂの折り部２３０に対向する辺部にそれぞれタイ部２１６ａ，２１６ｂが設けられているため、２つの紙片部２１０ａ，２１０ｂが折り畳まれて剥離可能に貼着された状態において、紙片部２１０ａ，２１０ｂが切り込み２１１ａ，２１１ｂから裂けてしまうことが回避される。
【００５１】
隠蔽はがき２０１が送付先に送付された後、紙片部２１０ａ，２１０ｂに表示された通知情報２１５ａ，２１５ｂを見るために、切り込み２１３を剥離開始端部として紙片部２１０ｂから紙片部２１０ａを剥離していく。すると、２つの紙片部２１０ａ，２１０ｂの剥離領域が、切り込み２１１ａ，２１１ｂが形成された領域に達する。この際、切り込み２１１ａ，２１１ｂのうち、紙片部２１０ａ，２１０ｂの折り部２３０に対向する辺部側の端部においては、タイ部２１６ａ，２１６ｂが設けられているため、図６（ａ）に示すように、紙片部２１０ｂから紙片部２１０ａを剥離する際に、紙片部２１０ａの切り込み２１１ａを介して分離された２つの領域のうち一方が紙片部２１０ａとともに捲れ上がり、他方が紙片部２１０ｂに貼着されたままとなって紙片部２１０ａが裂けてしまうことを回避することができる。
【００５２】
２つの紙片部２１０ａ，２１０ｂを剥離して完全に見開くと、図６（ｂ）に示すように、紙片部２１０ａ，２１０ｂにそれぞれ表示された通知情報２１５ａ，２１５ｂが視認可能な状態となり、それにより、この隠蔽はがき２０１の送付先に通知情報２１５ａ，２１５ｂが通知されることになる。
【００５３】
その後、この隠蔽はがき２０１を折り畳んで保管する場合は、まず、図６（ｃ）に示すように、２つの紙片部２１０ａ，２１０ｂを折り部２３０を介して折り畳む。しかし、この状態では、紙片部２１０ａ，２１０ｂのうち少なくとも一方が反り返ってしまい、２つの紙片部２１０ａ，２１０ｂが互いに離反してしまう。
【００５４】
そこで、図６（ｄ）に示すように、タイ部２１６ａ，２１６ｂを破断し、切り込み２１１ａ，２１１ｂを用いて、紙片部２１０ａのうち図５中切り込み２１１ａを介して下部となる領域を、紙片部２１０ｂの図５中切り込み２１１ｂを介して上部となる領域の下に潜り込ませ、それにより、２つの紙片部２１０ａ，２１０ｂのうち、紙片部２１０ａ，２１０ｂが折り部２３０を介して折り畳まれた場合に切り込み２１１ａ，２１１ｂによって挟まれる領域において、２つの紙片部２１０ａ，２１０ｂの重ね合わせ状態における表裏関係を反転させる。
【００５５】
すると、図６（ｅ）に示すように、紙片部２１０ｂの、切り込み２１１ｂと切り込み２１１ａに対向する領域との間の領域が紙片部２１０ａ上に表出し、また、紙片部２１０ａの、切り込み２１１ａと切り込み２１１ｂに対向する領域との間の領域が紙片部２１０ｂ下に表出することとなり、図６（ｅ）中Ａ方向から見た場合、図６（ｆ）に示すように、２つの紙片部２１０ａ，２１０ｂのうち、紙片部２１０ａ，２１０ｂが折り部２３０を介して折り畳まれた場合に切り込み２１１ａ，２１１ｂによって挟まれる領域が、２つの紙片部２１０ａ，２１０ｂの重ね合わせ状態における表裏関係が反転した状態にて係合する。これにより、折り畳まれた２つの紙片部２１０ａ，２１０ｂが互いに係止し合うこととなり、２つの紙片部２１０ａ，２１０ｂのうち一方が反り返って２つの紙片部２１０ａ，２１０ｂが離反してしまうことがなくなる。
【００５６】
（第４の実施の形態）
図７は、本発明の隠蔽はがきの第４の実施の形態を示す図であり、（ａ）は表面図、（ｂ）は（ａ）に示したＡ−Ａ’断面図、（ｃ）は２つの紙片部３１０ａ，３１０ｂを見開いた状態を示す図である。
【００５７】
本形態は図７に示すように、外形が同一である２つの紙片部３１０ａ，３１０ｂが折り部３３０を介して折り畳み可能に連接して構成され、紙片部３１０ａ，３１０ｂの一方の全面に貼着後の剥離が可能な感圧性接着剤３２０が塗布されており、感圧性接着剤３２０が塗布された面が内側となるように折り部３３０を介して折り畳まれて使用される。
【００５８】
紙片部３１０ａは、折り部３３０を介して折り畳まれた場合に外側となる面に、この隠蔽はがき３０１の送付先の住所や氏名等からなる宛先情報３１４が表示されているとともに、折り部３３０を介して折り畳まれた場合に内側となる面に、この隠蔽はがき３０１の送付先に通知すべき通知情報３１５ａが表示されている。また、紙片部３１０ａには、折り部３３０に対向する辺部から曲線状に延びた切り込み３１１ａが形成されているとともに、貼着された２つの紙片部３１０ａ，３１０ｂを剥離する際に剥離開始端部となる切り込み３１３が形成されている。また、切り込み３１１ａの中央部分にはタイ部３１６ａが設けられており、それにより、紙片部３１０ａの切り込み３１１ａによって分離される２つの領域が分離可能に連接している。
【００５９】
紙片部３１０ｂは、折り部３３０を介して折り畳まれた場合に内側となる面に、この隠蔽はがき３０１の送付先に通知すべき通知情報３１５ｂが表示されている。また、紙片部３１０ｂには、紙片部３１０ａ，３１０ｂが折り部３３０を介して折り畳まれた場合に、紙片部３１０ａに形成された切り込み３１１ａとは重なり合わない形状であって、その一部にて切り込み３１１ａと対向する曲線状の切り込み３１１ｂが、折り部３３０に対向する辺部から形成されている。また、切り込み３１１ｂの中央部分にはタイ部３１６ｂが設けられており、それにより、紙片部３１０ｂの切り込み３１１ｂによって分離される２つの領域が分離可能に連接している。なお、紙片部３１０ｂにおいても、紙片部３１０ａの切り込み３１３に対向する領域が、紙片部３１０ａ，３１０ｂを剥離する際の剥離開始端部となる。
【００６０】
紙片部３１０ａ，３１０ｂにそれぞれ形成された切り込み３１１ａ，３１１ｂは、上述したように、紙片部３１０ａ，３１０ｂが折り部３３０を介して折り畳まれた場合にその一部が互いに対向するように形成されているが、本形態の切り込み３１１ａ，３１１ｂにおいては、その両端部にて対向している。なお、切り込み３１１ａ，３１１ｂの両端部が、紙片部３１０ａ，３１０ｂの折り部３３０に対向する辺部近傍となっていることにより、２つの切り込み３１１ａ，３１１ｂが対向する領域は、紙片部３１０ａ，３１０ｂの折り部３３０に対向する辺部近傍となっている。
【００６１】
以下に、上記のように構成された隠蔽はがき３０１の使用方法について説明する。
【００６２】
図８は、図７に示した隠蔽はがき３０１の使用方法を説明するための図である。
【００６３】
図７に示した隠蔽はがき３０１は、図７（ａ），（ｂ）に示したように、２つの紙片部３１０ａ，３１０ｂが折り部３３０を介して折り畳まれ、感圧性接着剤３２０によって剥離可能に貼着された状態で、紙片部３１０ａに表示された宛先情報３１４に従って送付先に送付される。この際、紙片部３１０ａ，３１０ｂにはそれぞれ、切り込み３１１ａ，３１１ｂが形成されているが、この切り込み３１１ａ，３１１ｂの中央部分にそれぞれタイ部３１６ａ，３１６ｂが設けられているため、２つの紙片部３１０ａ，３１０ｂが折り畳まれて剥離可能に貼着された状態において、紙片部３１０ａ，３１０ｂが切り込み３１１ａ，３１１ｂから裂けてしまうことが回避される。
【００６４】
隠蔽はがき３０１が送付先に送付された後、紙片部３１０ａ，３１０ｂに表示された通知情報３１５ａ，３１５ｂを見るために、切り込み３１３を剥離開始端部として紙片部３１０ｂから紙片部３１０ａを剥離していく。すると、２つの紙片部３１０ａ，３１０ｂの剥離領域が、切り込み３１１ａ，３１１ｂが形成された領域に達する。この際、切り込み３１１ａ，３１１ｂの中央部分にはタイ部３１６ａ，３１６ｂが設けられているため、図８（ａ）に示すように、紙片部３１０ｂから紙片部３１０ａを剥離する際に、紙片部３１０ａの切り込み３１１ａを介して分離された２つの領域のうち一方が紙片部３１０ａとともに捲れ上がり、他方が紙片部３１０ｂに貼着されたままとなって紙片部３１０ａが裂けてしまうことを回避することができる。
【００６５】
２つの紙片部３１０ａ，３１０ｂを剥離して完全に見開くと、図８（ｂ）に示すように、紙片部３１０ａ，３１０ｂにそれぞれ表示された通知情報３１５ａ，３１５ｂが視認可能な状態となり、それにより、この隠蔽はがき３０１の送付先に通知情報３１５ａ，３１５ｂが通知されることになる。
【００６６】
その後、この隠蔽はがき３０１を折り畳んで保管する場合は、まず、図８（ｃ）に示すように、２つの紙片部３１０ａ，３１０ｂを折り部３３０を介して折り畳む。しかし、この状態では、紙片部３１０ａ，３１０ｂのうち少なくとも一方が反り返ってしまい、２つの紙片部３１０ａ，３１０ｂが互いに離反してしまう。
【００６７】
そこで、図８（ｄ）に示すように、タイ部３１６ａ，３１６ｂを破断し、切り込み３１１ａ，３１１ｂを用いて、紙片部３１０ａのうち図７中切り込み３１１ａを介して下部となる領域を、紙片部３１０ｂの図７中切り込み３１１ｂを介して上部となる領域の下に潜り込ませ、それにより、２つの紙片部３１０ａ，３１０ｂのうち、紙片部３１０ａ，３１０ｂが折り部３３０を介して折り畳まれた場合に切り込み３１１ａ，３１１ｂによって挟まれる領域において、２つの紙片部３１０ａ，３１０ｂの重ね合わせ状態における表裏関係を反転させる。
【００６８】
すると、図８（ｅ）に示すように、紙片部３１０ｂの、切り込み３１１ｂと切り込み３１１ａに対向する領域との間の領域が紙片部３１０ａ上に表出し、また、紙片部３１０ａの、切り込み３１１ａと切り込み３１１ｂに対向する領域との間の領域が紙片部３１０ｂ下に表出することとなり、図８（ｅ）中Ａ方向から見た場合、図８（ｆ）に示すように、２つの紙片部３１０ａ，３１０ｂのうち、紙片部３１０ａ，３１０ｂが折り部３３０を介して折り畳まれた場合に切り込み３１１ａ，３１１ｂによって挟まれる領域が、２つの紙片部３１０ａ，３１０ｂの重ね合わせ状態における表裏関係が反転した状態にて係合する。これにより、折り畳まれた２つの紙片部３１０ａ，３１０ｂが互いに係止し合うこととなり、２つの紙片部３１０ａ，３１０ｂのうち一方が反り返って２つの紙片部３１０ａ，３１０ｂが離反してしまうことがなくなる。
【００６９】
（第５の実施の形態）
図９は、本発明の隠蔽はがきの第５の実施の形態を示す図であり、（ａ）は表面図、（ｂ）は（ａ）に示したＡ−Ａ’断面図、（ｃ）は２つの紙片部４１０ａ，４１０ｂを見開いた状態を示す図、（ｄ）は（ａ）に示した切り込み４１１ａ，４１３間の距離を説明するための図、（ｅ）は紙片部４１０ｂの切り込み４１３に対向する領域から切り込み４１１ｂまでの距離を説明するための図、（ｆ）は（ａ）に示した切り込み４１２ａ，４１３間の距離を説明するための図、（ｇ）は紙片部４１０ｂの切り込み４１３に対向する領域から切り込み４１２ｂまでの距離を説明するための図である。
【００７０】
本形態は図９に示すように、外形が同一である２つの紙片部４１０ａ，４１０ｂが折り部４３０を介して折り畳み可能に連接して構成され、紙片部４１０ａ，４１０ｂの一方の全面に貼着後の剥離が可能な感圧性接着剤４２０が塗布されており、感圧性接着剤４２０が塗布された面が内側となるように折り部４３０を介して折り畳まれて使用される。
【００７１】
紙片部４１０ａは、折り部４３０を介して折り畳まれた場合に外側となる面に、この隠蔽はがき４０１の送付先の住所や氏名等からなる宛先情報４１４が表示されているとともに、折り部４３０を介して折り畳まれた場合に内側となる面に、この隠蔽はがき４０１の送付先に通知すべき通知情報４１５ａが表示されている。また、紙片部４１０ａには、折り部４３０に対向する辺部から、この辺部に沿う方向に対して斜めの方向に直線状に延びた２本の切り込み４１１ａ，４１２ａが形成されているとともに、貼着された２つの紙片部４１０ａ，４１０ｂを剥離する際に剥離開始端部となる切り込み４１３が形成されている。この切り込み４１１ａ，４１２ａはそれぞれ、図９（ｄ），（ｆ）に示すように、剥離開始端部となる切り込み４１３から折り部４３０に対向する辺部側の一端までの距離ｌ1，ｌ5が、切り込み４１３から他端までの距離ｌ2，ｌ6よりも長くなるような角度で形成されている。
【００７２】
紙片部４１０ｂは、折り部４３０を介して折り畳まれた場合に内側となる面に、この隠蔽はがき４０１の送付先に通知すべき通知情報４１５ｂが表示されている。また、紙片部４１０ｂには、紙片部４１０ａ，４１０ｂが折り部４３０を介して折り畳まれた場合に、紙片部４１０ａに形成された切り込み４１１ａ，４１２ａとは異なる方向であって、折り部４３０に対向する辺部に沿う方向に対して斜めの方向に直線状に延び、かつ、その一部にて切り込み４１１ａ，４１２ａとそれぞれ対向する切り込み４１１ｂ，４１２ｂが、折り部４３０に対向する辺部から形成されている。この切り込み４１１ｂ，４１２ｂはそれぞれ、図９（ｅ），（ｇ）に示すように、切り込み４１３に対向する剥離開始端部となる領域から折り部４３０に対向する辺部側の一端までの距離ｌ3，ｌ7が、剥離開始端部となる領域から他端までの距離ｌ4，ｌ8よりも長くなるような角度で形成されている。なお、紙片部４１０ｂにおいても、紙片部４１０ａの切り込み４１３に対向する領域が、紙片部４１０ａ，４１０ｂを剥離する際の剥離開始端部となる。
【００７３】
紙片部４１０ａに形成された切り込み４１１ａ，４１２ａと、紙片部４１０ｂに形成された切り込み４１１ｂ，４１２ｂとは、上述したように、紙片部４１０ａ，４１０ｂが折り部４３０を介して折り畳まれた場合にその一部が互いに対向するように形成されているが、本形態の切り込み４１１ａ，４１２ａと切り込み４１１ｂ，４１２ｂとにおいては、折り部４３０に対向する辺部側とは反対側の端部にて対向している。なお、切り込み４１１ａ，４１１ｂ，４１２ａ，４１２ｂの折り部４３０に対向する辺部側とは反対側の端部が、紙片部４１０ａ，４１０ｂの折り部４３０に対向する辺部近傍となっていることにより、２つの切り込み４１１ａ，４１１ｂ，４１２ａ、４１２ｂが対向する領域は、紙片部４１０ａ，４１０ｂの折り部４３０に対向する辺部近傍となっている。
【００７４】
以下に、上記のように構成された隠蔽はがき４０１の使用方法について説明する。
【００７５】
図１０は、図９に示した隠蔽はがき４０１の使用方法を説明するための図である。
【００７６】
図９に示した隠蔽はがき４０１は、図９（ａ），（ｂ）に示したように、２つの紙片部４１０ａ，４１０ｂが折り部４３０を介して折り畳まれ、感圧性接着剤４２０によって剥離可能に貼着された状態で、紙片部４１０ａに表示された宛先情報４１４に従って送付先に送付される。
【００７７】
隠蔽はがき４０１が送付先に送付された後、紙片部４１０ａ，４１０ｂに表示された通知情報４１５ａ，４１５ｂを見るために、切り込み４１３を剥離開始端部として紙片部４１０ｂから紙片部４１０ａを剥離していく。すると、２つの紙片部４１０ａ，４１０ｂの剥離領域が、切り込み４１１ａ，４１１ｂが形成された領域に達するが、図９（ｄ），（ｅ）に示したように、切り込み４１１ａ，４１１ｂが、切り込み４１３あるいはそれに対向する領域から折り部４３０に対向する辺部側の一端までの距離ｌ1，ｌ3が、切り込み４１３あるいはそれに対向する領域から他端までの距離ｌ2，ｌ4よりも長くなるような角度で形成されているため、図１０（ａ）に示すように、２つの紙片部４１０ａ，４１０ｂの剥離領域が、まず、切り込み４１１ａ，４１１ｂの折り部４３０に対向する辺部側とは反対側の端部に達し、その後、切り込み４１１ａ，４１１ｂの他の領域が剥離されていくことになる。これにより、紙片部４１０ｂから紙片部４１０ａを剥離する際に、紙片部４１０ａの切り込み４１１ａを介して分離された２つの領域のうち一方が紙片部４１０ａとともに捲れ上がり、他方が紙片部４１０ｂに貼着されたままとなって紙片部４１０ａが裂けてしまうことを回避することができる。
【００７８】
その後、２つの紙片部４１０ａ，４１０ｂの剥離領域が、切り込み４１２ａ，４１２ｂが形成された領域に達するが、図９（ｆ），（ｇ）に示したように、切り込み４１２ａ，４１２ｂが、切り込み４１３あるいはそれに対向する領域から折り部４３０に対向する辺部側の一端までの距離ｌ5，ｌ7が、切り込み４１３あるいはそれに対向する領域から他端までの距離ｌ6，ｌ8よりも長くなるような角度で形成されているため、切り込み４１１ａ，４１１ｂが形成された領域と同様に、２つの紙片部４１０ａ，４１０ｂの剥離領域が、まず、切り込み４１２ａ，４１２ｂの折り部４３０に対向する辺部側とは反対側の端部に達し、その後、切り込み４１２ａ，４１２ｂの他の領域が剥離されていくことになる。これにより、紙片部４１０ｂから紙片部４１０ａを剥離する際に、紙片部４１０ａの切り込み４１２ａを介して分離された２つの領域のうち一方が紙片部４１０ａとともに捲れ上がり、他方が紙片部４１０ｂに貼着されたままとなって紙片部４１０ａが裂けてしまうことを回避することができる。
【００７９】
２つの紙片部４１０ａ，４１０ｂを剥離して完全に見開くと、図１０（ｂ）に示すように、紙片部４１０ａ，４１０ｂにそれぞれ表示された通知情報４１５ａ，４１５ｂが視認可能な状態となり、それにより、この隠蔽はがき４０１の送付先に通知情報４１５ａ，４１５ｂが通知されることになる。
【００８０】
その後、この隠蔽はがき４０１を折り畳んで保管する場合は、まず、図１０（ｃ）に示すように、２つの紙片部４１０ａ，４１０ｂを折り部４３０を介して折り畳む。しかし、この状態では、紙片部４１０ａ，４１０ｂのうち少なくとも一方が反り返ってしまい、２つの紙片部４１０ａ，４１０ｂが互いに離反してしまう。
【００８１】
そこで、図１０（ｄ）に示すように、切り込み４１１ａ，４１１ｂを用いて、紙片部４１０ａのうち図９中切り込み４１１ａを介して下部となる領域を、紙片部４１０ｂの図９中切り込み４１１ｂを介して上部となる領域の下に潜り込ませ、それにより、２つの紙片部４１０ａ，４１０ｂのうち、紙片部４１０ａ，４１０ｂが折り部４３０を介して折り畳まれた場合に切り込み４１１ａ，４１１ｂによって挟まれる領域において、２つの紙片部４１０ａ，４１０ｂの重ね合わせ状態における表裏関係を反転させる。また、同様に、切り込み４１２ａ，４１２ｂを用いて、紙片部４１０ａのうち図９中切り込み４１２ａを介して下部となる領域を、紙片部４１０ｂの図９中切り込み４１２ｂを介して上部となる領域の下に潜り込ませ、それにより、２つの紙片部４１０ａ，４１０ｂのうち、紙片部４１０ａ，４１０ｂが折り部４３０を介して折り畳まれた場合に切り込み４１２ａ，４１２ｂによって挟まれる領域において、２つの紙片部４１０ａ，４１０ｂの重ね合わせ状態における表裏関係を反転させる。
【００８２】
すると、図１０（ｅ）に示すように、紙片部４１０ｂの、切り込み４１１ｂと切り込み４１１ａに対向する領域との間の領域と、切り込み４１２ｂと切り込み４１２ａに対向する領域との間の領域とが紙片部４１０ａ上に表出し、また、紙片部４１０ａの、切り込み４１１ａと切り込み４１１ｂに対向する領域との間の領域と、切り込み４１２ａと切り込み４１２ｂに対向する領域との間の領域とが紙片部２１０ｂ下に表出することとなり、図１０（ｅ）中Ａ方向から見た場合、図１０（ｆ）に示すように、２つの紙片部４１０ａ，４１０ｂのうち、紙片部４１０ａ，４１０ｂが折り部４３０を介して折り畳まれた場合に切り込み４１１ａ，４１１ｂによって挟まれる領域と切り込み４１２ａ，４１２ｂによって挟まれる領域とが、２つの紙片部４１０ａ，４１０ｂの重ね合わせ状態における表裏関係が反転した状態にて係合する。これにより、折り畳まれた２つの紙片部４１０ａ，４１０ｂが互いに係止し合うこととなり、２つの紙片部４１０ａ，４１０ｂのうち一方が反り返って２つの紙片部４１０ａ，４１０ｂが離反してしまうことがなくなる。
【００８３】
（第６の実施の形態）
図１１は、本発明の隠蔽はがきの第６の実施の形態を示す図であり、（ａ）は表面図、（ｂ）は（ａ）に示したＡ−Ａ’断面図、（ｃ）は２つの紙片部５１０ａ，５１０ｂを見開いた状態を示す図である。
【００８４】
本形態は図１１に示すように、外形が同一である２つの紙片部５１０ａ，５１０ｂが折り部５３０を介して折り畳み可能に連接して構成され、紙片部５１０ａ，５１０ｂの一方の全面に貼着後の剥離が可能な感圧性接着剤５２０が塗布されており、感圧性接着剤５２０が塗布された面が内側となるように折り部５３０を介して折り畳まれて使用される。
【００８５】
紙片部５１０ａは、折り部５３０を介して折り畳まれた場合に外側となる面に、この隠蔽はがき５０１の送付先の住所や氏名等からなる宛先情報５１４が表示されているとともに、折り部５３０を介して折り畳まれた場合に内側となる面に、この隠蔽はがき５０１の送付先に通知すべき通知情報５１５ａが表示されている。また、紙片部５１０ａには、折り部５３０に対向する辺部から、この辺部に沿う方向に対して斜めの方向に直線状に延びた切り込み５１１ａが形成されているとともに、貼着された２つの紙片部５１０ａ，５１０ｂを剥離する際に剥離開始端部となる切り込み５１３が形成されている。また、紙片部５１０ａは、切り込み５１１ａによって、折り部５３０に対向する辺部近傍の領域が２つの領域に分離されているが、切り込み５１１ａの折り部５３０に対向する辺部側には分離部となるタイ部５１６ａが設けられており、それにより、切り込み５１１ａによって分離される２つの領域は分離可能に連接している。
【００８６】
紙片部５１０ｂは、折り部５３０を介して折り畳まれた場合に内側となる面に、この隠蔽はがき５０１の送付先に通知すべき通知情報５１５ｂが表示されている。また、紙片部５１０ｂには、紙片部５１０ａ，５１０ｂが折り部５３０を介して折り畳まれた場合に、紙片部５１０ａに形成された切り込み５１１ａとは異なる方向であって、折り部５３０に対向する辺部に沿う方向に対して斜めの方向に直線状に延び、かつ、その一部にて切り込み５１１ａと対向、交差する切り込み５１１ｂが、折り部５３０に対向する辺部から形成されている。また、紙片部５１０ｂは、切り込み５１１ｂによって、折り部５３０に対向する辺部近傍の領域が２つの領域に分離されているが、切り込み５１１ｂの折り部５３０に対向する辺部側には分離部となるタイ部５１６ｂが設けられており、それにより、切り込み５１１ｂによって分離される２つの領域は分離可能に連接している。なお、紙片部５１０ｂにおいても、紙片部５１０ａの切り込み５１３に対向する領域が、紙片部５１０ａ，５１０ｂを剥離する際の剥離開始端部となる。
【００８７】
紙片部５１０ａ，５１０ｂにそれぞれ形成された切り込み５１１ａ，５１１ｂは、上述したように、紙片部５１０ａ，５１０ｂが折り部５３０を介して折り畳まれた場合に互いに対向、交差するように形成されているが、本形態の切り込み５１１ａ，５１１ｂにおいては、その中央部分にて対向、交差している。なお、２つの切り込み５１１ａ，５１１ｂが対向する領域は、紙片部５１０ａ，５１０ｂの折り部５３０に対向する辺部近傍となっている。
【００８８】
以下に、上記のように構成された隠蔽はがき５０１の使用方法について説明する。
【００８９】
図１２は、図１１に示した隠蔽はがき５０１の使用方法を説明するための図である。
【００９０】
図１１に示した隠蔽はがき５０１は、図１１（ａ），（ｂ）に示したように、２つの紙片部５１０ａ，５１０ｂが折り部５３０を介して折り畳まれ、感圧性接着剤５２０によって剥離可能に貼着された状態で、紙片部５１０ａに表示された宛先情報５１４に従って送付先に送付される。この際、紙片部５１０ａ，５１０ｂにはそれぞれ、切り込み５１１ａ，５１１ｂが形成されているが、この切り込み５１１ａ，５１１ｂの紙片部５１０ａ，５１０ｂの折り部５３０に対向する辺部にそれぞれタイ部５１６ａ，５１６ｂが設けられているため、２つの紙片部５１０ａ，５１０ｂが折り畳まれて剥離可能に貼着された状態において、紙片部５１０ａ，５１０ｂが切り込み５１１ａ，５１１ｂから裂けてしまうことが回避される。
【００９１】
隠蔽はがき５０１が送付先に送付された後、紙片部５１０ａ，５１０ｂに表示された通知情報５１５ａ，５１５ｂを見るために、切り込み５１３を剥離開始端部として紙片部５１０ｂから紙片部５１０ａを剥離していく。すると、２つの紙片部５１０ａ，５１０ｂの剥離領域が、切り込み５１１ａ，５１１ｂが形成された領域に達する。この際、切り込み５１１ａ，５１１ｂのうち、紙片部５１０ａ，５１０ｂの折り部５３０に対向する辺部側の端部においては、タイ部５１６ａ，５１６ｂが設けられているため、図１２（ａ）に示すように、紙片部５１０ｂから紙片部５１０ａを剥離する際に、紙片部５１０ａの切り込み５１１ａを介して分離された２つの領域のうち一方が紙片部５１０ａとともに捲れ上がり、他方が紙片部５１０ｂに貼着されたままとなって紙片部５１０ａが裂けてしまうことを回避することができる。
【００９２】
２つの紙片部５１０ａ，５１０ｂを剥離して完全に見開くと、図１２（ｂ）に示すように、紙片部５１０ａ，５１０ｂにそれぞれ表示された通知情報５１５ａ，５１５ｂが視認可能な状態となり、それにより、この隠蔽はがき５０１の送付先に通知情報５１５ａ，５１５ｂが通知されることになる。
【００９３】
その後、この隠蔽はがき５０１を折り畳んで保管する場合は、まず、図１２（ｃ）に示すように、２つの紙片部５１０ａ，５１０ｂを折り部５３０を介して折り畳む。しかし、この状態では、紙片部５１０ａ，５１０ｂのうち少なくとも一方が反り返ってしまい、２つの紙片部５１０ａ，５１０ｂが互いに離反してしまう。
【００９４】
そこで、図１２（ｄ）に示すように、タイ部５１６ａ，５１６ｂを破断し、切り込み５１１ａ，５１１ｂを用いて、紙片部５１０ａのうち図１１中切り込み５１１ａを介して下部となる領域を、紙片部５１０ｂの図１１中切り込み５１１ｂを介して上部となる領域の下に潜り込ませ、それにより、２つの紙片部５１０ａ，５１０ｂのうち、紙片部５１０ａ，５１０ｂが折り部５３０を介して折り畳まれた場合に切り込み５１１ａ，５１１ｂと折り部５３０に対向する辺部とによって囲まれる領域において、２つの紙片部５１０ａ，５１０ｂの重ね合わせ状態における表裏関係を反転させる。
【００９５】
すると、図１２（ｅ）に示すように、紙片部５１０ｂの、切り込み５１１ｂと切り込み５１１ａに対向する領域と折り部５３０に対向する辺部とによって囲まれる領域が紙片部５１０ａ上に表出し、また、紙片部５１０ａの、切り込み５１１ａと切り込み５１１ｂに対向する領域と折り部５３０に対向する辺部とによって囲まれる領域が紙片部５１０ｂ下に表出することとなり、図１２（ｅ）中Ａ方向から見た場合、図１２（ｆ）に示すように、２つの紙片部５１０ａ，５１０ｂのうち、紙片部５１０ａ，５１０ｂが折り部５３０を介して折り畳まれた場合に切り込み５１１ａ，５１１ｂと折り部５３０に対向する辺部とによって囲まれる領域が、２つの紙片部５１０ａ，５１０ｂの重ね合わせ状態における表裏関係が反転した状態にて係合する。これにより、折り畳まれた２つの紙片部５１０ａ，５１０ｂが互いに係止し合うこととなり、２つの紙片部５１０ａ，５１０ｂのうち一方が反り返って２つの紙片部５１０ａ，５１０ｂが離反してしまうことがなくなる。
【００９６】
このように、上述した６つの実施の形態においては、２つの紙片部１０ａ，１０ｂ，１１０ａ，１１０ｂ，２１０ａ，２１０ｂ，３１０ａ，３１０ｂ，４１０ａ，４１０ｂ，５１０ａ，５１０ｂを剥離して見開いた後、折り部３０，１３０，２３０，３３０，４３０，５３０を介して再度折り畳んで２つの紙片部１０ａ，１０ｂ，１１０ａ，１１０ｂ，２１０ａ，２１０ｂ，３１０ａ，３１０ｂ，４１０ａ，４１０ｂ，５１０ａ，５１０ｂを係止する構成が２つの紙片部１０ａ，１０ｂ，１１０ａ，１１０ｂ，２１０ａ，２１０ｂ，３１０ａ，３１０ｂ，４１０ａ，４１０ｂ，５１０ａ，５１０ｂの辺部から延びた切り込み１１ａ，１１ｂ，１１１ａ，１１１ｂ，２１１ａ，２１１ｂ，３１１ａ，３１１ｂ，４１１ａ，４１１ｂ，４１２ａ，４１２ｂ，５１１ａ，５１１ｂとなっているため、その構成を紙片部１０ａ，１０ｂ，１１０ａ，１１０ｂ，２１０ａ，２１０ｂ，３１０ａ，３１０ｂ，４１０ａ，４１０ｂ，５１０ａ，５１０ｂの辺部に沿う領域に設けることができ、それにより、２つの紙片部１０ａ，１０ｂ，１１０ａ，１１０ｂ，２１０ａ，２１０ｂ，３１０ａ，３１０ｂ，４１０ａ，４１０ｂ，５１０ａ，５１０ｂに表示された情報が見にくくなりづらく、かつ、２つの紙片部１０ａ，１０ｂ，１１０ａ，１１０ｂ，２１０ａ，２１０ｂ，３１０ａ，３１０ｂ，４１０ａ，４１０ｂ，５１０ａ，５１０ｂが同一の形状を有するものであっても２つの紙片部１０ａ，１０ｂ，１１０ａ，１１０ｂ，２１０ａ，２１０ｂ，３１０ａ，３１０ｂ，４１０ａ，４１０ｂ，５１０ａ，５１０ｂを剥離した後に再度折り畳んで保管しやすくすることができる。なお、第２、第３及び第６の実施の形態に示したものにおいては、切り込み１１１ａ，１１１ｂ，２１１ａ，２１１ｂ，５１１ａ，５１１ｂの折り部１３０，２３０，５３０に対向する辺部側にタイ部１１６ａ，１１６ｂ，２１６ａ，２１６ｂ，５１６ａ，５１６ｂが設けられているが、この場合においても、上述したように、切り込み１１１ａ，１１１ｂ，２１１ａ，２１１ｂ，５１１ａ，５１１ｂが、２つの紙片部１１０ａ，１１０ｂ，２１０ａ，２１０ｂ，５１０ａ，５１０ｂの辺部から延びたものと定義する。
【００９７】
なお、第１及び第５の実施の形態に示したものにおいても、その他の実施の形態に示したものと同様に、切り込み１１ａ，１１ｂ，４１１ａ，４１１ｂ，４１２ａ，４１２ｂの折り部３０，４３０に対向する辺部側にタイ部を設けることも考えられる。また、第２〜第４及び第６の実施の形態に示したものにおいて、タイ部１１６ａ，１１６ｂ，２１６ａ，２１６ｂ，３１６ａ，３１６ｂ，５１６ａ，５１６ｂを設けずに、切り込み１１１ａ，１１１ｂ，２１１ａ，２１１ｂ，３１１ａ，３１１ｂ，５１１ａ，５１１ｂをミシン目によって構成することも考えられる。
【００９８】
また、上述した第１〜第５の実施の形態においては、紙片部１０ａ，１１０ａ，２１０ａ，３１０ａ，４１０ａに形成された切り込み１１ａ，１１１ａ，２１１ａ，３１１ａ，４１１ａ，４１２ａと、紙片部１０ｂ，１１０ｂ，２１０ｂ，３１０ｂ，４１０ｂに形成された切り込み１１ｂ，１１１ｂ，２１１ｂ，３１１ｂ，４１１ｂ，４１２ｂとが、切り込み１１ａ，１１ｂ，１１１ａ，１１１ｂ，２１１ａ，２１１ｂ，３１１ａ，３１１ｂ，４１１ａ，４１１ｂ，４１２ａ，４１２ｂの折り部３０，１３０，２３０，３３０，４３０に対向する辺部側とは反対側の端部にて互いに対向しており、また、上述した第６の実施の形態においては、紙片部５１０ａに形成された切り込み５１１ａと紙片部５１０ｂに形成された切り込み５１１ｂとが、切り込み５１１ａ，５１１ｂの中央部分にて互いに対向、交差しているが、２つの紙片部に形成された切り込みが対向する領域は、折り部に対向する辺部以外の領域であれば、上述した実施の形態に示したものと同様に、２つの紙片部に形成された切り込みを用いて紙片部の表裏関係を反転させることができる。
【００９９】
また、上述した６つの実施の形態においては、切り込み１１ａ，１１ｂ，４１１ａ，４１１ｂ，４１２ａ，４１２ｂの角度を適宜設定したり、切り込み１１１ａ，１１１ｂ，２１１ａ，２１１ｂ，３１１ａ，３１１ｂ，５１１ａ，５１１ｂにタイ部１１６ａ，１１６ｂ，２１６ａ，２１６ｂ，３１６ａ，３１６ｂ，５１６ａ，５１６ｂを設けたりすることにより、紙片部１０ｂ，１１０ｂ，２１０ｂ，３１０ｂ，４１０ｂ，５１０ｂから紙片部１０ａ，１１０ａ，２１０ａ，３１０ａ，４１０ａ，５１０ａを剥離する際に、紙片部１０ａ，１１０ａ，２１０ａ，３１０ａ，４１０ａ，５１０ａが裂けてしまうことを回避しているが、紙片部１０ａ，１０ｂ，１１０ａ，１１０ｂ，２１０ａ，２１０ｂ，３１０ａ，３１０ｂ，４１０ａ，４１０ｂ，５１０ａ，５１０ｂの切り込み１１ａ，１１ｂ，１１１ａ，１１１ｂ，２１１ａ，２１１ｂ，３１１ａ，３１１ｂ，４１１ａ，４１１ｂ，４１２ａ，４１２ｂ，５１１ａ，５１１ｂが形成された領域の近傍に感圧性接着剤２０，１２０，２２０，３２０，４２０，５２０を塗布しない構成とすることにより、紙片部１０ｂ，１１０ｂ，２１０ｂ，３１０ｂ，４１０ｂ，５１０ｂから紙片部１０ａ，１１０ａ，２１０ａ，３１０ａ，４１０ａ，５１０ａを剥離する際に、紙片部１０ａ，１１０ａ，２１０ａ，３１０ａ，４１０ａ，５１０ａが裂けてしまうことを回避することもできる。
【０１００】
また、上述した６つの実施の形態においては、２つの紙片部１０ａ，１０ｂ，１１０ａ，１１０ｂ，２１０ａ，２１０ｂ，３１０ａ，３１０ｂ，４１０ａ，４１０ｂ，５１０ａ，５１０ｂを剥離可能に貼着する構成として感圧性接着剤２０，１２０，２２０，３２０，４２０，５２０を用いたものを例に挙げて説明したが、２つの紙片部１０ａ，１０ｂ，１１０ａ，１１０ｂ，２１０ａ，２１０ｂ，３１０ａ，３１０ｂ，４１０ａ，４１０ｂ，５１０ａ，５１０ｂを剥離可能に貼着する構成はこれに限らず、その他に、例えば、擬似接着フィルムを用いたものやニスを塗布したもの等が考えられる。
【０１０１】
また、上述した６つの実施の形態においては、２つの紙片部１０ａ，１０ｂ，１１０ａ，１１０ｂ，２１０ａ，２１０ｂ，３１０ａ，３１０ｂ，４１０ａ，４１０ｂ，５１０ａ，５１０ｂが折り部３０，１３０，２３０，３３０，４３０，５３０を介して折り畳み可能に連接し、これら２つの紙片部１０ａ，１０ｂ，１１０ａ，１１０ｂ，２１０ａ，２１０ｂ，３１０ａ，３１０ｂ，４１０ａ，４１０ｂ，５１０ａ，５１０ｂが剥離可能に貼着された隠蔽はがき１，１０１，２０１，３０１，４０１，５０１を例に挙げて説明したが、本発明は、このように折り部を介して折り畳み可能に連接した２つの紙片部にさらに１つ以上の紙片部が折り部を介して折り畳み可能に連接したものを含むことは言うまでもない。その場合、連接する紙片部の数によっては、切り込みが折り部に形成されることになるが、２つの紙片部のみにおいては、その紙片部が折り部を介して折り畳まれた場合に、２つの紙片部が連接する折り部に対向する辺部から互いに異なる方向に延び、かつその辺部以外の領域で互いに対向する切り込みがそれぞれ形成されていることになる。
【符号の説明】
【０１０２】
１，１０１，２０１，３０１，４０１，５０１    隠蔽はがき
１０ａ，１０ｂ，１１０ａ，１１０ｂ，２１０ａ，２１０ｂ，３１０ａ，３１０ｂ，４１０ａ，４１０ｂ，５１０ａ，５１０ｂ    紙片部
１１ａ，１１ｂ，１３，１１１ａ，１１１ｂ，１１３，２１１ａ，２１１ｂ，２１３，３１１ａ，３１１ｂ，３１３，４１１ａ，４１１ｂ，４１２ａ，４１２ｂ，４１３，５１１ａ，５１１ｂ，５１３    切り込み
１４，１１４，２１４，３１４，４１４，５１４    宛先情報
１５ａ，１５ｂ，１１５ａ，１１５ｂ，２１５ａ，２１５ｂ，３１５ａ，３１５ｂ，４１５ａ，４１５ｂ，５１５ａ，５１５ｂ    通知情報
２０，１２０，２２０，３２０，４２０，５２０    感圧性接着剤
３０，１３０，２３０，３３０，４３０，５３０    折り部
１１６ａ，１１６ｂ，２１６ａ，２１６ｂ，３１６ａ，３１６ｂ，５１６ａ，５１６ｂ    タイ部
【図１】
2010162833.tif 000003
【図２】
2010162833.tif 000004
【図３】
2010162833.tif 000005
【図４】
2010162833.tif 000006
【図５】
2010162833.tif 000007
【図６】
2010162833.tif 000008
【図７】
2010162833.tif 000009
【図８】
2010162833.tif 000010
【図９】
2010162833.tif 000011
【図１０】
2010162833.tif 000012
【図１１】
2010162833.tif 000013
【図１２】
2010162833.tif 000014
【図１３】
2010162833.tif 000015